(57)【要約】【課題】ＴＦＴ液晶パネル等の電気光学パネルを備えたプロジェクタにおいて、電気光学パネル内の残留電荷を低減する。【解決手段】プロジェクタは、光源（２００）と、一対の基板（１０、２０）間に電気光学物質（５０）を挟持してなり、一方の基板上に複数の画素電極（９ａ）及び該複数の画素電極の各々をスイッチング制御する複数の薄膜トランジスタ（３０）を有し、光源から出射された光を変調する電気光学パネル（１００）と、光源に対する光源用電源の供給を行う光源用電源供給手段（４２０）と、電気光学パネルに対する電気光学パネル用電源の供給を行う電気光学パネル用電源供給手段（４１０）と、電気光学パネル用電源の供給が停止された後に、光源用電源の供給が停止されるように、光源用電源供給手段及び電気光学パネル用電源供給手段を制御する電源制御手段（４００）とを備える。【選択図】図５
2009186542.tif 000002
【特許請求の範囲】
【請求項１】
光を出射する光源と、
一対の基板間に電気光学物質を挟持してなり、該一対の基板の一方の基板上に複数の画素電極及び該複数の画素電極の各々をスイッチング制御する複数の薄膜トランジスタを有し、前記光を変調する電気光学パネルと、
前記光源に対する光源用電源の供給を行う光源用電源供給手段と、
前記電気光学パネルに対する電気光学パネル用電源の供給を行う電気光学パネル用電源供給手段と、
前記電気光学パネル用電源の供給が停止された後に、前記光源用電源の供給が停止されるように、前記光源用電源供給手段及び前記電気光学パネル用電源供給手段を制御する電源制御手段と
を備えることを特徴とするプロジェクタ。
【請求項２】
前記電気光学パネルは、前記一対の基板の他方の基板上に、前記複数の画素電極に対向すると共に共通電位が供給される対向電極を有しており、
前記電気光学パネル用電源の供給が停止される前に、前記複数の画素電極の各々に、前記共通電位と同一の電位を有する電位信号を供給する信号供給手段を備える
ことを特徴とする請求項１に記載のプロジェクタ。
【発明の詳細な説明】
【技術分野】
【０００１】
本発明は、プロジェクタの技術分野に関する。
【背景技術】
【０００２】
この種のプロジェクタの一例としての液晶プロジェクタでは、一対の基板間に液晶が挟持されてなる液晶パネルが光変調手段（ライトバルブ）として用いられる。この液晶パネルを構成する一対の基板のうち一方の基板上には、データ線及び走査線が互いに交差して配線され、両配線の交差に対応して画素電極がマトリクス状に設けられると共に、画素電極が設けられた画素毎に、画素電極をスイッチング制御する画素スイッチング素子としての薄膜トランジスタ（ＴＦＴ：Thin Film Transistor）が設けられる。
【０００３】
このような液晶プロジェクタでは、電源停止（電源オフ）時に、液晶パネルに残留電荷が残ってしまうのを防ぐために、電源を停止する前に、例えば、全ての画素電極に対して黒色に係る電位信号を供給した後に全ての画素電極を接地電位（グランド電位）に電気的に接続するなどのオフシーケンス動作が行われる。このようなオフシーケンス動作が行われることで、電源が停止された後に、液晶パネルに残る残留電荷を低減でき、液晶パネルに残像が表示されてしまうこと（即ち、所謂「焼き付き」の発生）を防ぐことができる。また、このようなオフシーケンス動作は、一般的には、該動作中に望ましくない表示をさせないために、先ず光源の電源を停止させることにより、液晶パネルに光が入射されない状態で行われる。例えば特許文献１では、ユーザの電源オフ操作によって、光源としてのバックライト装置を消灯して映像の映出を終了させると共に、所定期間サイドパネル部に白レベルの信号を与えることにより、液晶パネルにおける焼き付きを防止する技術が開示されている。
【０００４】
【特許文献１】特開平５−１５３５２９号公報
【発明の開示】
【発明が解決しようとする課題】
【０００５】
上述したようなオフシーケンス動作は、複雑になってしまいやすいという技術的問題点がある。
【０００６】
本発明は、例えば上述した問題点に鑑みなされたものであり、複雑なオフシーケンス動作を必要とせずに、電気光学パネル内の残留電荷を低減可能なプロジェクタを提供することを課題とする。
【課題を解決するための手段】
【０００７】
本発明のプロジェクタは上記課題を解決するために、光を出射する光源と、一対の基板間に電気光学物質を挟持してなり、該一対の基板の一方の基板上に複数の画素電極及び該複数の画素電極の各々をスイッチング制御する複数の薄膜トランジスタを有し、前記光を変調する電気光学パネルと、前記光源に対する光源用電源の供給を行う光源用電源供給手段と、前記電気光学パネルに対する電気光学パネル用電源の供給を行う電気光学パネル用電源供給手段と、前記電気光学パネル用電源の供給が停止された後に、前記光源用電源の供給が停止されるように、前記光源用電源供給手段及び前記電気光学パネル用電源供給手段を制御する電源制御手段とを備える。
【０００８】
本発明のプロジェクタによれば、その動作時には、光源から出射された光は、電気光学パネルに入射される。電気光学パネルは、光源から出射された光を変調する光変調手段（即ち、ライトバルブ）として用いられる。電気光学パネルは、一対の基板間に例えば液晶等である電気光学物質を挟持してなる。電気光学パネルを構成する一対の基板のうち一方の基板には、例えばデータ線及び走査線が互いに交差するように配線され、該データ線及び走査線の交差に対応する画素毎に、画素電極が配置される。更に、該一方の基板上には、画素毎に、画素電極に対応して薄膜トランジスタが設けられている。薄膜トランジスタに、例えばデータ線を介して画像信号が供給されると共に例えば走査線を介して走査信号が供給されることで、画像信号が薄膜トランジスタから選択的に画素電極に供給される。これにより、電気光学パネルの複数の画素電極が配列された画素領域或いは画素アレイ領域（又は「画像表示領域」とも呼ぶ）において、アクティブマトリクス駆動による画像表示が行われる。電気光学パネルによって表示された画像は、例えば投射レンズを介して投写画像としてスクリーン等の投写面に投写される。
【０００９】
本発明では、光源及び電気光学パネルに対する電源の供給は、光源用電源供給手段及び電気光学パネル用電源供給手段によって夫々行われる。
【００１０】
本発明では特に、電源制御手段は、電気光学パネル用電源の供給が停止された後に、光源用電源の供給が停止されるように、光源用電源供給手段及び電気光学パネル用電源供給手段を制御する。即ち、例えば、当該プロジェクタの電源オフ時など、光源用電源及び電気光学パネル用電源を含む当該プロジェクタの電源の供給を停止すべき旨の指示（例えばユーザによる電源オフ操作など）が外部から入力された場合には、電源制御手段は、電気光学パネル用電源及び光源用電源の供給がこの順に停止されるように（即ち、光源用電源の供給が停止される前に、電気光学パネル用電源の供給が停止されるように）、光源用電源供給手段及び電気光学パネル用電源供給手段を制御する。よって、電気光学パネル用電源の供給が停止される際には光源に光源用電源が供給されているため、電気光学パネルに光源からの光が入射された状態で、電気光学パネル用電源の供給が停止されることになる。従って、電気光学パネルが有する薄膜トランジスタにおいて光リーク電流を生じさせることができ、画素電極に残留する電荷を薄膜トランジスタを介して例えばデータ線側に抜く（即ち、移動させる）ことができる。ここで、電気光学パネルには、典型的には、薄膜トランジスタにおける光リーク電流を表示画像に悪影響を与えない程度に低減するために、薄膜トランジスタに向かう光を遮る遮光手段としての遮光膜が設けられるが、電気光学パネル用電源の供給を停止した後に、光源からの光を電気光学パネルに入射させることで、薄膜トランジスタにおける光リーク電流を多少とも生じさせることができる。つまり、本発明によれば、電気光学パネルに光源からの光が入射された状態で、電気光学パネル用電源の供給が停止されるので、電気光学パネルが有する薄膜トランジスタにおいて多少とも生じる光リーク電流を利用して、画素電極に残留する電荷を低減することができる。これにより、上述したようなオフシーケンス動作を簡略化する或いは無くすことができる。
【００１１】
以上説明したように、本発明のプロジェクタによれば、複雑なオフシーケンス動作を必要とせずに、電気光学パネル内の残留電荷を低減することができる。
【００１２】
本発明のプロジェクタの一態様では、前記電気光学パネルは、前記一対の基板の他方の基板上に、前記複数の画素電極に対向すると共に共通電位が供給される対向電極を有しており、前記電気光学パネル用電源の供給が停止される前に、前記複数の画素電極の各々に、前記共通電位と同一の電位を有する電位信号を供給する信号供給手段を備える。
【００１３】
この態様によれば、電気光学パネル用電源の供給が停止される前に、複数の画素電極の各々に残留する電荷を少なくすることができる。よって、電気光学パネル用電源及び光源用電源の供給がこの順に停止された後に画素電極に残留する電荷をより一層確実に低減する或いは実践上無くすことができる。
【００１４】
本発明の作用及び他の利得は次に説明する実施するための最良の形態から明らかにされる。
【発明を実施するための最良の形態】
【００１５】
以下では、本発明の実施形態について図を参照しつつ説明する。以下の実施形態では、本発明のプロジェクタの一例である、ＴＦＴアクティブマトリクス駆動方式の液晶パネルをライトバルブとして備える液晶プロジェクタを例にとる。
＜第１実施形態＞
第１実施形態に係る液晶プロジェクタについて、図１から図５を参照して説明する。
【００１６】
先ず、本実施形態に係る液晶プロジェクタの全体構成について、図１を照して説明する。
【００１７】
図１は、本実施形態に係る液晶プロジェクタの全体構成を示すブロック図である。
【００１８】
図１において、本実施形態に係る液晶プロジェクタ１は、液晶パネル１００、光源２００、コントローラ３００、液晶パネル用電源供給部４１０、光源用電源供給部４２０、電源制御部４００及び投射光学系５００を備えている。
【００１９】
液晶パネル１００は、光源２００から出射される光を変調するライトバルブとして機能する。液晶パネル１００は、図２から図４を参照して後に詳細に説明するが、一対の基板間に液晶を挟持してなり、一対の基板の一方の基板上に画素電極及び該画素電極をスイッチング制御するＴＦＴを有している。
【００２０】
光源２００は、例えばハロゲンランプ等を含んで構成され、液晶パネル１００に対して光を出射する。
【００２１】
コントローラ３００は、液晶パネル１００の全体動作を制御する。コントローラ３００は、例えばクロック信号やスタートパルスなどの各種タイミング信号や画像信号を液晶パネル１００に供給する。
【００２２】
液晶パネル用電源供給部４１０は、液晶パネル１００を動作させるための液晶パネル用電源を、電源制御部４００の制御下で、液晶パネル１００に供給する。
【００２３】
光源用電源供給部４２０は、光源２００を動作させる（即ち、光源２００から光を出射させる）ための光源用電源を、電源制御部４００の制御下で、光源２００に供給する。
【００２４】
電源制御部４００は、液晶パネル用電源供給部４１０及び光源用電源供給部４２０の各々の動作を制御する。電源制御部４００は、ユーザによる電源オフ操作（即ち、液晶プロジェクタ１の電源の供給を停止すべき旨の指示）が入力可能に構成されている。尚、図５を参照して後に詳細に説明するが、本実施形態では特に、電源制御部４００にユーザによる電源オフ操作が入力された場合には、電源制御部４００は、電気光学パネル用電源及び光源用電源の供給がこの順に停止されるように、電気光学パネル用電源供給部４１０及び光源用電源供給部４２０を制御するように構成されている。
【００２５】
投射光学系５００は、投射レンズを含んで構成され、液晶パネル１００によって変調された光をスクリーン６００に投射画像として投射する。
【００２６】
次に、本実施形態に係る液晶プロジェクタが備える液晶パネルの構成について、図２から図４参照して説明する。
【００２７】
図２は、本実施形態に係る液晶プロジェクタが備える液晶パネルの構成を示す平面図であり、図３は、図２のＨ−Ｈ’断面図である。
【００２８】
図２及び図３において、液晶パネル１００は、互いに対向するように配置されたＴＦＴアレイ基板１０及び対向基板２０を備えている。尚、ＴＦＴアレイ基板１０及び対向基板２０は、本発明に係る「一対の基板」の一例であり、ＴＦＴアレイ基板１０が本発明に係る「一方の基板」の一例であり、対向基板２０が本発明に係る「他方の基板」の一例である。
【００２９】
ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００３０】
図２において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。
【００３１】
外部回路接続端子１０２は、液晶パネル１００の外部に設けられたコントローラ３００及び液晶パネル用電源供給部４１０（図１参照）に電気的に接続可能に構成されている。液晶プロジェクタ１の動作時には、コントローラ３００から外部回路接続端子１０２を介して各種タイミング信号や画像信号が液晶パネル１００に設けられた電極や回路に供給されると共に、液晶パネル用電源供給部４１０から液晶パネル用電源として例えば共通電位等が液晶パネル１００に設けられた電極や回路に供給される。
【００３２】
この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３３】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００３４】
図３において、ＴＦＴアレイ基板１０上には、画素電極をスイッチング制御するためのＴＦＴや走査線、データ線等の配線が作り込まれた積層構造が形成されている。画像表示領域１０ａには、画素電極をスイッチング制御するためのＴＦＴや走査線、データ線等の配線の上層にＩＴＯ（Indium Tin Oxide）等の透明材料からなる画素電極９ａがマトリクス状に設けられている。画素電極９ａ上には、配向膜が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明材料からなる対向電極２１が複数の画素電極９ａと対向してベタ状に形成されている。液晶プロジェクタ１の動作時には、液晶パネル電源供給部４１０（図１参照）から外部回路接続端子１０２、引回配線９０（図２参照）等を介して共通電位が対向電極２１に供給される。対向電極２１上には配向膜が形成されている。また、液晶層５０は、例えば一種又は数種類のネマティック液晶を混合した液晶からなり、これら一対の配向膜間で、所定の配向状態をとる。
【００３５】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００３６】
図４は、液晶パネルの画像表示領域を構成するマトリクス状に形成された複数の画素における各種素子、配線等の等価回路図である。
【００３７】
図４において、液晶パネル１００の画像表示領域１０ａ（図２参照）を構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号ＶＳ１、ＶＳ２、…、ＶＳｎは、この順に線順次に供給しても構わないし、相隣接する複数のデータ線６ａ同士に対して、グループ毎に供給するようにしてもよい。
【００３８】
また、ＴＦＴ３０のゲートに走査線１１ａが電気的に接続されており、所定のタイミングで、走査線１１ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号ＶＳ１、ＶＳ２、…、ＶＳｎを所定のタイミングで書き込む。
【００３９】
画素電極９ａを介して液晶に書き込まれた所定レベルの画像信号ＶＳ１、ＶＳ２、…、ＶＳｎは、対向基板に形成されると共に共通電位が供給される対向電極２１（図３参照）との間で一定期間保持される。
【００４０】
液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号に応じたコントラストをもつ光が出射する。
【００４１】
ここで保持された画像信号がリークするのを防ぐために、画素電極９ａと対向電極との間に形成される液晶容量と並列に蓄積容量７０が付加されている。蓄積容量７０の一方の電極は、画素電極９ａと並列してＴＦＴ３０のドレインに接続され、他方の電極は、定電位となるように、電位固定の容量配線４０に接続されている。
【００４２】
次に、本実施形態に係る液晶プロジェクタにユーザによる電源オフ操作が入力された際の本実施形態に係る液晶プロジェクタの動作について、図１から図４に加えて図５を参照して説明する。
【００４３】
図５は、本実施形態に係る液晶プロジェクタの、ユーザによる電源オフ操作が入力された際の動作を示すフローチャートである。
【００４４】
図５において、液晶プロジェクタ１（具体的には、電源制御部４００）にユーザによる電源オフ操作が入力されると、先ず、液晶パネル１００の電源がオフにされる（ステップＳ１０）。即ち、電源制御部４００にユーザによる電源オフ操作（即ち、液晶プロジェクタ１の電源（つまり、光源用電源及び液晶パネル用電源）の供給を停止すべき旨の指示）が入力されると、先ず、電源制御部４００は、液晶パネル１００に対する液晶パネル用電源の供給を停止するように、液晶パネル用電源供給部４１０を制御する。これにより、液晶パネル１００に対する液晶パネル用電源の供給が停止される。
【００４５】
次に、光源２００の電源がオフにされる（ステップＳ２０）。即ち、電源制御部４００は、光源２００に対する光源用電源の供給を停止するように、光源用電源供給部４１０を制御する。これにより、光源２００に対する光源用電源の供給が停止される。
【００４６】
このように、本実施形態では特に、電源制御部４００は、液晶パネル用電源の供給が停止された後に、光源用電源の供給が停止されるように、液晶パネル用電源供給部４１０及び光源用電源供給部４２０を制御する。即ち、液晶プロジェクタ１では、ユーザによる電源オフ操作に応じて液晶パネル用電源及び光源用電源の供給を停止する際には、電源制御部４００は、液晶パネル用電源及び光源用電源の供給がこの順に停止されるように（即ち、光源用電源の供給が停止される前に、液晶パネル用電源の供給が停止されるように）、液晶パネル用電源供給部４１０及び光源用電源供給部４２０を制御する。よって、液晶パネル用電源の供給が停止される際には光源２００に光源用電源が供給されているため、液晶パネル１００に光源２００からの光が入射された状態で、液晶パネル用電源の供給が停止されることになる。従って、液晶パネル１００が有するＴＦＴ３０（図４参照）において光リーク電流を生じさせることができ、画素電極９ａに残留する電荷をＴＦＴ３０を介してデータ線６ａ側に抜くことができる。
【００４７】
ここで、プロジェクタ１のような、ＴＦＴアクティブマトリクス駆動方式の液晶パネルが用いられるプロジェクタでは、光源からの強い光が液晶パネルに入射されることにより、この光によって液晶パネル内のＴＦＴに光リーク電流が発生することが知られている。ＴＦＴアクティブマトリクス方式の液晶パネルには、一般的に、ＴＦＴの光リーク電流を低減するために、入射光を遮る遮光手段としての遮光膜或いは遮光構造が様々な形態で内蔵されるが、光リーク電流を完全にゼロにする（即ち、無くす）ことは困難である。このため、液晶パネルに光源からの強い光が入射されると、液晶パネル内のＴＦＴに光リーク電流が多少とも生じることになる。
【００４８】
つまり、本実施形態では特に、液晶パネル１００に光源２００からの光が入射或いは照射された状態で、液晶パネル用電源の供給が停止されるので、液晶パネル１００が有するＴＦＴ３０において多少とも生じる光リーク電流を利用して、画素電極９ａに残留する電荷を低減することができる。これにより、仮に何らの対策も施さねば、液晶パネル１００に残留電荷が残ってしまうのを防ぐために行う必要のある、例えば、全ての画素電極９ａに対して所定レベルの電位信号（例えば黒表示に対応する画像信号）を供給した後に全ての画素電極９ａを接地電位に電気的に接続するなどの複雑なオフシーケンス動作を簡略化する或いは無くすことができる。
【００４９】
以上説明したように、本実施形態に係る液晶プロジェクタ１によれば、複雑なオフシーケンス動作を必要とせずに、液晶パネル１００内の残留電荷を低減することができる。
＜第２実施形態＞
次に、第２実施形態に係る液晶プロジェクタについて、図６を参照して説明する。
【００５０】
図６は、第２実施形態における図５と同趣旨のフローチャートである。尚、図６において、図５に示した第１実施形態に係る動作と同様の動作に同一の参照符合を付し、それらの説明は適宜省略する。
【００５１】
図６において、第２実施形態に係る液晶プロジェクタは、液晶パネル用電源の供給が停止される前（即ち、ステップＳ１０に係る動作を行う前）に、複数の画素電極９ａの各々に、対向電極２１に供給される共通電位と同一の電位を有する電位信号を供給する動作（ステップＳ３０）を行うように構成されている点で、上述した第１実施形態に係る液晶プロジェクタ１と異なり、その他の点については、上述した第１実施形態に係る液晶プロジェクタ１と概ね同様に構成されている。
【００５２】
即ち、第２実施形態に係る液晶プロジェクタは、図１を参照して上述したコントローラ３００が、液晶パネル用電源の供給が停止される前に、液晶パネル１００に画像信号として共通電位と同一の電位を有する電位信号を供給するように構成されている点で、図１を参照して上述した第１実施形態に係る液晶プロジェクタ１と異なり、その他の点については、図１を参照して上述した第１実施形態に係る液晶プロジェクタ１と概ね同様に構成されている。
【００５３】
尚、本実施形態では、コントローラ３００は、本発明に係る「信号供給手段」の一例である。また、本実施形態では、液晶パネル１００は、液晶に印加された電圧が増大するのに応じて入射光に対する透過率が増加されるノーマリーブラックモードの液晶パネルとして構成されている。
【００５４】
図６に示すように、第２実施形態に係る液晶プロジェクタにユーザによる電源オフ操作が入力されると、先ず、液晶パネル１００の全画素に黒が書き込まれる（ステップＳ３０）。即ち、コントローラ３００は、液晶パネル１００に、対向電極２１に供給される共通電位と同一の電位を有する電位信号を画像信号として供給する。これにより、全ての画素電極９ａに共通電位と同一の電位を有する電位信号が書き込まれ、画素電極９ａ及び対向電極２１間に電圧が殆ど或いは全く印加されず、全ての画素において黒色が表示される。
【００５５】
次に、上述した第１実施形態と同様に、液晶パネル１００の電源がオフにされた（ステップＳ１０）後、光源２００の電源がオフにされる（ステップＳ２０）。
【００５６】
このように、本実施形態では特に、液晶パネル用電源の供給が停止される（ステップＳ１０）前に、全ての画素電極９ａに、対向電極２１に供給される共通電位と同一の電位を有する電位信号が供給される（ステップＳ３０）ので、液晶パネル用電源の供給が停止される前に、各画素電極９ａに残留する電荷を少なくすることができる。よって、この後に、液晶パネル用電源及び光源用電源の供給がこの順に停止され、最終的に、画素電極９ａに残留する電荷をより一層確実に低減する或いは実践上無くすことができる。
＜第３実施形態＞
次に、第３実施形態に係る液晶プロジェクタについて、図７を参照して説明する。
【００５７】
図７は、第３実施形態に係る液晶プロジェクタの構成を模式的に示す断面図である。
【００５８】
図７に示すように、第３実施形態に係る液晶プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００５９】
液晶パネル１１１０Ｒ、１１１０Ｂ及び１１１０Ｇの構成は、図１から図４を参照して上述した液晶パネル１００と同等であり、図１を参照して上述したコントローラ３００と概ね同様に構成されたコントローラから供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００６０】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００６１】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００６２】
ここで本実施形態では、液晶パネル１１１０Ｒ、１１１０Ｂ及び１１１０Ｇの各々は、上述した第１実施形態における液晶パネル用電源供給部４１０と概ね同様に構成された液晶パネル用電源供給部によって液晶パネル用電源が供給される。ランプユニット１１０２は、上述した第１実施形態における光源用電源供給部４２０と概ね同様に構成された光源用電源によって光源用電源が供給される。液晶パネル用電源供給部及び光源用電源供給部の各々の動作は、上述した第１実施形態における電源制御部４００と概ね同様に構成された電源制御部によって制御される。即ち、本実施形態に係る液晶プロジェクタ１１００に、ユーザによる電源オフ操作が入力された場合には、電源制御部は、液晶パネル用電源及び光源用電源の供給がこの順に停止されるように、液晶パネル用電源供給部及び光源用電源供給部を制御するように構成されている。つまり、本実施形態に係る液晶プロジェクタ１１００によれば、ユーザによる電源オフ操作が入力された場合には、液晶パネル１１１０Ｒ、１１１０Ｂ及び１１１０Ｇに対する液晶パネル用電源の供給が停止された後に、ランプユニット１１０２に対する光源用電源の供給が停止される。
【００６３】
よって、第３実施形態に係る液晶プロジェクタ１１００によれば、上述した第１実施形態に係る液晶プロジェクタ１と概ね同様に、複雑なオフシーケンス動作を必要とせずに、液晶パネル１１１０Ｒ、１１１０Ｂ及び１１１０Ｇ内の残留電荷を低減することができる。
【００６４】
本発明は、上述した実施形態に限られるものではなく、特許請求の範囲及び明細書全体から読み取れる発明の要旨或いは思想に反しない範囲で適宜変更可能であり、そのような変更を伴うプロジェクタもまた本発明の技術的範囲に含まれるものである。
【図面の簡単な説明】
【００６５】
【図１】第１実施形態に係る液晶プロジェクタの全体構成を示すブロック図である。
【図２】第１実施形態に係る液晶プロジェクタが備える液晶パネルの構成を示す平面図である。
【図３】図２のＨ−Ｈ’断面図である。
【図４】第１実施形態に係る液晶プロジェクタが備える液晶パネルの複数の画素の等価回路図である。
【図５】第１実施形態に係る液晶プロジェクタの、ユーザによる電源オフ操作が入力された際の動作を示すフローチャートである。
【図６】第２実施形態に係る液晶プロジェクタの、ユーザによる電源オフ操作が入力された際の動作を示すフローチャートである。
【図７】第３実施形態に係る液晶プロジェクタの構成を模式的に示す断面図である。
【符号の説明】
【００６６】
６ａ…データ線、９ａ…画素電極、１０…ＴＦＴアレイ基板、１０ａ…画像表示領域、１１ａ…走査線、２０…対向基板、２１…対向電極、３０…ＴＦＴ、５０…液晶層、１００…液晶パネル、１０１…データ線駆動回路、１０２…外部回路接続端子、１０４…走査線駆動回路、２００…光源、４００…電源制御部、４１０…液晶パネル用電源供給部、４２０…光源用電源供給部、５００…投射光学系
【図１】
2009186542.tif 000003
【図２】
2009186542.tif 000004
【図３】
2009186542.tif 000005
【図４】
2009186542.tif 000006
【図５】
2009186542.tif 000007
【図６】
2009186542.tif 000008
【図７】
2009186542.tif 000009